(57)【要約】【課題】光ディスクに映像などのユーザデータを記録する際、ユーザデータを管理する管理情報の記録品質が低下すると、ユーザデータの再生が不能となる問題があった。そこで本発明は、管理情報の記録再生信頼性の向上を目的とする。【解決手段】管理情報の単位符号が隣接する最小符号数を、ユーザデータの単位符号が隣接する最小符号数より多くすることによって、Ｓ／Ｎを改善してビット誤りの低減を図り、管理情報の信頼性を向上する。【選択図】図１
2010152940.tif 000002
【特許請求の範囲】
【請求項１】
光を情報媒体に照射して符号０と符号１の２値の単位符号をデジタル情報として記録再生可能な光情報記録再生装置であって、
光を前記情報媒体に照射する光学手段と、
隣接する前記符号１の数が最小となる数を最小符号数とし、
第１の情報を、第１の最小符号数からなる第１の符号情報に符号化、及び、前記第１の符号情報を前記第１の情報に復号化する第１の符号復号手段と、
第２の情報を、前記第１の最小符号数よりも多い第２の最小符号数からなる第２の符号情報に符号化、及び、前記第２の符号情報を前記第２の情報に復号化する第２の符号復号手段を備えることを特徴とする光情報記録再生装置。
【請求項２】
請求項１に記載の光情報記録再生装置であって、
前記第１の情報に第１の判別情報を付加する手段と、
前記第２の情報に第２の判別情報を付加する手段を備えることを特徴とする光情報記録再生装置。
【請求項３】
請求項２に記載の光情報記録再生装置であって、
前記第１の判別情報または前記第２の判別情報に応じて、
前記第１の符号復号手段と前記第２の符号復号手段を切り替える制御手段を備えることを特徴とする光情報記録再生装置。
【請求項４】
請求項１に記載の光情報記録再生装置であって、
前記情報媒体の記録領域に応じて、
前記第１の符号復号手段と前記第２の符号復号手段を切り替える制御手段を備えることを特徴とする光情報記録再生装置。
【請求項５】
請求項１に記載の光情報記録再生装置であって、
前記符号０及び前記符号１を２次元状に配列して前記情報媒体に記録する手段を備えることを特徴とする光情報記録再生装置。
【請求項６】
請求項５に記載の光情報記録再生装置であって、
前記第１の符号情報における前記２次元状に配列される前記符号１の総数と、
前記第２の符号情報における前記２次元状に配列される前記符号１の総数を同一面積内でほぼ同数とする手段を備えることを特徴とする光情報記録再生装置。
【請求項７】
請求項１に記載の光情報記録再生装置であって、
前記符号０及び前記符号１を１次元状に配列して前記情報媒体に記録する手段を備えることを特徴とする光情報記録再生装置。
【請求項８】
光を情報媒体に照射して符号０と符号１の２値の単位符号をデジタル情報として記録再生可能な光情報記録再生方法であって、
光を前記情報媒体に照射し、
隣接する前記符号１の数が最小となる数を最小符号数とし、
第１の情報を、第１の最小符号数からなる第１の符号情報に符号化、及び、前記第１の符号情報を前記第１の情報に復号化する第１の符号復号方法と、
第２の情報を、前記第１の最小符号数よりも多い第２の最小符号数からなる第２の符号情報に符号化、及び、前記第２の符号情報を前記第２の情報に復号化する第２の符号復号方法を特徴とする光情報記録再生方法。
【請求項９】
請求項８に記載の光情報記録再生方法であって、
前記第１の情報に第１の判別情報を付加し、
前記第２の情報に第２の判別情報を付加することを特徴とする光情報記録再生方法。
【請求項１０】
請求項９に記載の光情報記録再生方法であって、
前記第１の判別情報または前記第２の判別情報に応じて、
前記第１の符号復号方法と前記第２の符号復号方法を切り替えることを特徴とする光情報記録再生方法。
【請求項１１】
請求項８に記載の光情報記録再生方法であって、
前記情報媒体の記録領域に応じて、
前記第１の符号復号方法と前記第２の符号復号方法を切り替えることを特徴とする光情報記録再生方法。
【請求項１２】
請求項８に記載の光情報記録再生方法であって、
前記符号０及び前記符号１を２次元状に配列して前記情報媒体に記録することを特徴とする光情報記録再生方法。
【請求項１３】
請求項１２に記載の光情報記録再生方法であって、
前記第１の符号情報における前記２次元状に配列される前記符号１の総数と、
前記第２の符号情報における前記２次元状に配列される前記符号１の総数を同一面積内でほぼ同数とすることを特徴とする光情報記録再生方法。
【請求項１４】
請求項８に記載の光情報記録再生方法であって、
前記符号０及び前記符号１を１次元状に配列して前記情報媒体に記録することを特徴とする光情報記録再生方法。
【発明の詳細な説明】
【技術分野】
【０００１】
本発明は、光を情報媒体（以下、光ディスク）に照射して情報を記録再生する光情報記録再生装置に関する。
【背景技術】
【０００２】
現在、青紫色半導体レーザを用いたＢｌｕ−ｒａｙ  Ｄｉｓｃ（ＢＤ）規格などにより、民生用においても５０ＧＢ程度の記録密度を持つ光ディスクの商品化が行われている。
【０００３】
今後は光ディスクでも１００ＧＢ〜１ＴＢというＨＤＤ（Ｈａｒｄ  Ｄｉｓｃ  Ｄｒｉｖｅ）容量と同程度まで大容量化が進むと考えられる。
【０００４】
しかしながら、このような超高密度を光ディスクで実現するためには、今までの様な短波長化と対物レンズの高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。
【０００９】
ホログラム記録技術として、例えば特開２００４−２７２２６８号公報（特許文献１）がある。本公報には、信号光束をレンズで光情報記録媒体に集光すると同時に、平行光束の参照光を照射して干渉させてホログラムの記録を行い、さらに参照光の光記録媒体への入射角度を変えながら異なるページデータを空間光変調器に表示して多重記録を行う、いわゆる角度多重記録方式が記載されている。さらに本公報には、信号光をレンズで集光してそのビームウエストに開口（空間フィルタ）を配することにより、隣接するホログラムの間隔を短くすることができ、従来の角度多重記録方式に比べて記録密度／容量を増大させる技術が記載されている。
【００１０】
また、ホログラム記録技術として、例えばＷＯ２００４−１０２５４２号公報（特許文献２）がある。本公報には、１つの空間光変調器において内側の画素からの光を信号光、外側の輪帯状の画素からの光を参照光として、両光束を同じレンズで光記録媒体に集光し、レンズの焦点面付近で信号光と参照光を干渉させてホログラムを記録するシフト多重方式を用いた例が記述されている。
【００１１】
【特許文献１】特開２００４−２７２２６８号公報
【特許文献２】ＷＯ２００４−１０２５４２号公報
【発明の開示】
【発明が解決しようとする課題】
【００１２】
光ディスクに映像などのユーザデータを記録する際、ユーザデータを管理する管理情報も光ディスクに記録する。この管理情報はユーザデータに増して高い信頼性が要求される。仮に管理情報が再生不能となると、たとえユーザデータの記録品質が良好であってもその光ディスクは再生できず、記録した映像を見ることができなくなってしまう。
【００１３】
記録品質が悪化する要因としては、記録パワーの調整精度の悪化、レーザ近傍の温度変化によるレーザ波長変化、指紋や傷等の欠陥等が考えられ、このような条件で記録した場合、再生時には誤り訂正の限界を超えて再生不能となってしまう。特に書き換え型ディスクでは、管理情報が頻繁に更新され、上書きが何度も行われることによってジッタの悪化、記録膜の疲弊により、再生不能へと至りやすい。
【００１４】
また近年の光ディスクの大容量化では、符号０と符号１を表す単位符号の単位符号長が短くなっており、レーザパワー、レーザ光の照射角度、フォーカスの調整が不適正のまま記録すると、再生時にビット誤りが多数発生して再生不能を引き起こしやすい。その一方で、ユーザデータと管理情報の単位符号長を一同に大きくすると、光ディスクの最大記録容量が低下し、これは適切でない。
【００１５】
このように従来は、ユーザデータに比べて管理情報は高い信頼性が要求されるのに対し、ユーザデータと管理情報はともに単位符号長を同一にしていたため記録再生の信頼性は同等となり、その結果、信頼性要求度に対する記録品質は相対的に管理情報の方が確保できていなかった。
【００１６】
そこで本発明は、ユーザデータの記録容量を維持しつつ管理情報の記録再生における信頼性を向上することを目的とする。
【課題を解決するための手段】
【００１７】
上記目的は、一例として、特許請求の範囲に記載の発明により達成される。
【発明の効果】
【００１８】
本発明により、管理情報の最小符号数がユーザデータの最小符号数より多いためＳ／Ｎ（Ｓｉｇｎａｌ  ｔｏ  Ｎｏｉｓｅ）が向上する。したがって管理情報の記録再生品質が向上することによって、管理情報のビット誤りが基準以上発生したために映像が再生不能となる問題を解決でき、ユーザの利便性が増す。
【発明を実施するための最良の形態】
【００１９】
本発明に従う光情報記録再生装置は、管理情報の記録再生の信頼性を向上させるために、ユーザデータと管理情報において、隣接する単位符号の数が最小となる数（以下、最小符号数）が異なるように符号化し、管理情報の最小符号数はユーザデータの最小符号数より多くして情報を記録することができる。一般にユーザデータに比べて管理情報は情報量が少ないため、管理情報の最小符号長をユーザデータの最小符号長より大きくしても、光ディスク全体の容量に対する管理情報の増大度の影響は少ない。
【００２０】
一例として、ホログラム記録再生装置であれば、１つのホログラムで単位符号を２次元的に配列して一度に記録再生するが、ユーザデータは１つの単位符号（以下、ピクセル）に１ビットを割り当てるのに対し、管理情報は隣接する２つまたはそれ以上のピクセルに１ビットを割り当てることとする。
【００２１】
別の例として、記録トラックがらせん状に形成されている光ディスク装置であれば、単位符号を１次元的に配列して単位符合毎に記録再生するが、ユーザデータは１つの単位符号（以下、クロック周期を１Ｔとして１Ｔ符号）に１ビットを割り当てるのに対し、管理情報は１Ｔ符号が２つまたはそれ以上隣接する符号長の符号に１ビットを割り当てることとする。
【００２２】
以下、本発明の実施例について更に詳しく説明する。
【実施例１】
【００２３】
図１はホログラフィを利用してデジタル情報を記録再生する光情報記録再生装置の全体構成図である。
【００２４】
光情報記録再生装置１００は、位相共役光学系１０２、モータ１０３、ピックアップ１０４を備え、光ディスク１０１を回転し、光ディスクに光を照射可能な構成となっている。
【００２５】
ピックアップ１０４は、参照光と信号光を光ディスク１０１に出射してホログラフィを利用してデジタル情報を記録する役割を果たす。
【００２６】
この際、記録する情報信号はコントローラ１０８によって信号処理手段１０５を介してピックアップ１０４内の後述する空間光変調器に送り込まれ、信号光は該空間光変調器によって変調される。
【００２７】
空間光変調器によってデータは空間的に２次元状に配列され、光ディスク１０１に対して１回の光の照射で多数の情報の記録が可能であり、大容量記録及び高速記録が可能となる。
【００２８】
光ディスク１０１に記録した情報を再生する場合は、ピックアップ１０４から出射された参照光の位相共役光を位相共役光学系１０２によって生成する。ここで位相共役光とは、入力光と同一の波面を保ちながら逆方向に進む光波のことである。該位相共役光によって再生される再生光をピックアップ１０４内の後述する光検出器によって検出し、信号処理手段１０５によって信号を再生する。
【００２９】
記録再生する情報信号はインターフェース１０９を通して外部機器との情報伝達が行われる。
【００３０】
図２は光情報記録再生装置１００におけるピックアップ１０４の光学系構成の一例を示したものである。
【００３１】
光源２０１を出射した光ビームは偏光ビームスプリッタ（Ｐｏｌａｒｉｚａｔｉｏｎ  Ｂｅａｍ  Ｓｐｌｉｔｔｅｒ：ＰＢＳ）プリズム２０２に入射する。ＰＢＳプリズム２０２を透過した光ビームは、ＰＢＳプリズム２０３を経由して空間光変調器２０４に入射する。
【００３２】
空間光変調器２０４によって情報を付加された信号光２０６はＰＢＳプリズム２０３を透過し、対物レンズ２０７によって光ディスク１０１に集光する。
【００３３】
一方、ＰＢＳプリズム２０２を反射した光ビームはミラー２０８に入射する。ミラー２０８は角度の調節が可能なため、レンズ２１０を通過した後に光ディスク１０１に入射する参照光２０９の入射角度を所望の角度に設定することができる。
【００３４】
このように信号光２０６と参照光２０９を光ディスク１０１において、互いに重ねあうように入射させることで、光ディスク１０１内には干渉縞パターンが形成され、このパターンを記録媒体に書き込むことで情報を記録する。またミラー２０８によって光ディスク１０１に入射する参照光２０９の入射角度を変化させることができるため、角度多重による記録が可能である。
【００３５】
記録した情報を再生する場合は、前述したように参照光２０９を、光ディスク１０１に入射し、光ディスク１０１を透過した光ビームをミラー２１１にて反射させることで、その位相共役光を生成する。
【００３６】
この位相共役光によって再生された再生光ビームは、対物レンズ２０７を透過し、ＰＢＳプリズム２０３を反射して光検出器２０５に入射し、記録した信号を再生することができる。
【００３７】
以下、情報の符号復号手段について述べる。
【００３８】
図１において信号処理手段１０５は、ユーザデータを符号復号するための第１の符号復号手段１０６と、管理情報を符号復号するための第２の符号復号手段１０７を備える。ここでユーザデータ量は例えば光ディスク１枚につき３００GBとし、管理情報は映像の情報の日付、タイトル等１０MBとする。情報量及び情報の内容はこれら以外でもよい。
【００３９】
図３はユーザデータを符号復号するための第１の符合復号手段１０６のフローを示す概略図である。
【００４０】
データ３０１から１９２５１２バイトを抽出し、１０２４バイト×１８８行の並び替えデータ３０２を生成する。次に、ページ番号、ヘッダ、フッタを付加し、さらに誤り訂正符号を付加して、（１０７２バイト＋５６０バイト）×（１８８行＋２０行）の誤り訂正符号付加データ３０３を生成する。その後８ビットデータを４×４＝１６ドットの１６ビット画像情報に変換するための８／１６ビット変換３０４を行い、２次元状にデジタル情報が配列されたデータページ画像を生成し光ディスク１０１のデータを記録する。
【００４１】
図４は２次元配列情報の概略図である。データページ４０１はページ同期マーク４０２と５１個のサブページ４０３からなり、１６３２バイトのデータを持つ。サブページ４０３はサブページ同期マーク４０４と３２個のシンボル４０５からなり、３２バイトのデータを持つ。シンボル４０５は４行×４列＝１６個の単位符号（ピクセル）からなり、３個の単位符号１（以下、オンピクセル４０６）と１３個の単位符号０（以下、オフピクセル４０７）を用いて１バイトのデータを持つ。
【００４２】
図５は８／１６ビット変換の概略図である。８ビットデータ５０１にビット番号を最上位ビット７から最下位ビット０までを割り当て、一例として００００１００１とする。この８ビットデータ５０１を最上位ビット１５から最下位ビット０までのビット番号に割り当てられる１６ビットデータ５０２に変換する。１６ビットデータ５０２のビット番号はシンボルデータ５０３のピクセル番号と対応し、１６ビットデータ５０２の符号１がシンボルデータ５０３のオンピクセルに、符号０がオフピクセルにそれぞれ対応する。
【００４３】
その際、オンピクセルは上下左右には隣接せず、オンピクセルの最小符号数は１とする。なお、ユーザデータの復号化は上記手順の逆を行えばよい。
【００４４】
図６は管理情報を符号復号化するための８／６４ビット変換の概略図である。管理情報の符号復号化では、図３における８／１６ビット変換を８／６４ビット変換に置き換えることにより実現する。８ビットデータ５０１にビット番号を最上位ビット７から最下位ビット０までを割り当て、一例として００００１００１とする。この８ビットデータ５０１を最上位ビット６３から最下位ビット０までのビット番号に割り当てられる６４ビットデータ６０１に変換する。６４ビットデータ６０１のビット番号はシンボルデータ６０２のピクセル番号と対応し、６４ビットデータ６０１の符号１がシンボルデータ６０２のオンピクセルに、符号０がオフピクセルにそれぞれ対応する。
【００４５】
その際、オンピクセルは２行×２列＝４個が隣接し、オンピクセルの最小符号数は４とする。なお、オンピクセルの配列は１行×２列や１行×４列などでもよく、最小符号数は４以外でもよい。なお、管理情報の復号化は上記手順の逆を行えばよい。
【００４６】
このように、ユーザデータは最小符号数を１とするのに対し、管理情報は最小符号数を４とすることにより、管理情報のデータ記録量は１／４となるが、実効的にオンピクセルの面積が大きくすることができる。これによってＳ／Ｎが改善し、再生信号の光検出器の分解能が低くてもビット誤りが低減できるため、記録再生の品質が向上する。
【００４７】
ユーザデータと管理情報とで最小符号数を異なるものとした場合、ある一定の領域内においてオンピクセルの出現数が異なると、光ディスクに照射するパワーをユーザデータの記録領域と管理情報の記録領域とで個別に決定する必要性が出てきてしまう。そこである一定の領域内でのオンピクセルの出現数は同一のものとするのが望ましい。
【００４８】
図７は８／１６ビット変換と８／６４ビット変換におけるサブページの一部を示した概略図である。サブページ４０３のうち、一例としてシンボル番号２１、２２、２７、２８に着目すると、これらは８行×８列＝６４ピクセルからなる。８／１６ビット変換におけるサブページの一部７０１はオンピクセルが３個のシンボル４個からなり、１２個のオンピクセルが存在する。これは４バイトの情報を持つ。
【００４９】
一方、８／６４ビット変換におけるサブページの一部７０２は最小符号数が４のオンピクセルが３個からなり、１２個のオンピクセルが存在する。これは１バイトの情報を持つ。
【００５０】
このように８／１６ビット変換と８／６４ビット変換におけるデータページ４０１に存在するオンピクセルの個数はそれぞれ同一とする。
【００５１】
これにより、空間光変調器２０４を通してディスクに照射される光量は８／１６ビット変換と８／６４ビット変換において差はなく、レーザ光のパワーを同一とすることが可能となる。したがって、光ディスク１０１に光を照射するパワーの調整回数及び調整時間の短縮が可能となる。
【００５２】
ユーザデータと管理情報を記録する際に第１の符号復号手段１０６と第２の符号復号手段１０７を切り替える必要があるが、その切り替え方法について説明する。
【００５３】
図８は判別情報パターンの概略図である。誤り訂正付加データ３０３におけるヘッダデータに、ユーザデータであれば第１の判別情報パターン８０１を、管理情報であれば第２の判別情報パターン８０２を埋め込む。ここで第１の判別情報パターン８０１を全て０、第２の判別情報パターン８０２を全て１としたが、０と１の繰り返し等それ以外のパターンでもよい。
【００５４】
この判別情報パターンに応じて、コントローラ１０８は第１の符号復号手段１０６または第２の符号復号手段1０７を切り替え、所望の符号化を行う。復号化においても同様に所定の判別情報パターンに応じて復号化を行う。
【００５５】
このように、判別情報パターンを付与することにより、情報の符号化手段の切り替えを明確に設定することができる。またドライブ外部のホストから情報の符号化手段の切り替え制御が可能となり、ユーザデータと管理情報との区分だけでなく、ホストの情報重要度によって自由に切り替え制御ができ、任意の情報において記録品質の確保が可能となる。
【００５６】
また、管理情報は所定の領域でのみ記録される場合、光ディスク１０１上の所定のアドレスに応じて第１の符号復号手段１０６と第２の符号復号手段1０７を切り替えてもよい。記録アドレスに応じて切り替えることにより、ヘッダの判別情報パターンが不要となり、ヘッダのバイト数が低減でき、記録容量の拡大が可能となる。
【００５７】
以上により、１０MBの管理情報に対して４０MBの記録領域が必要となるが管理情報におけるＳ／Ｎが向上して記録再生品質の確保が可能となる。したがってユーザデータの記録量３００GBを維持して光ディスクの記録再生における信頼性の向上が可能となる。
【実施例２】
【００５８】
光ディスク１枚につき、ユーザデータ５０GBの容量を持つＢｌｕ−ｒａｙ  Ｄｉｓｃを例とした光情報記録再生装置について説明する。ここで管理情報は映像の日付やタイトルといった１０MBの情報を持つ。ユーザデータ及び管理情報の容量はこれ以外でもよく、管理情報は映像の日付やタイトル以外でもよい。この光Blu-rayＤｉｓｃを例とした光ディスク１０１にはらせん状のトラックが存在し、１トラックに対して１次元状に符号データが配列されて記録される。
【００５９】
基本的な構成は実施例１と同様であり、光ディスク１０１、ピックアップ１０４、信号処理手段１０５、第１の符号復号手段１０６、第２の符号復号手段１０７、コントローラ１０８からなる。ユーザデータまたは管理情報は、所定の判別情報パターンや記録アドレスに応じて、第１の符号復号手段１０６と第２の符号復号手段１０７とを切り替えて符号復号化する。
【００６０】
図９に１次元配列情報の概略図を示す。符号化された第１の符号情報９０１は、符号０または符号１が２個〜９個連続したデータからなる。クロック周期を１Ｔとすると、２Ｔ〜９Ｔとなる。ここで最小符号数は２とする。
【００６１】
一方、第２の符号情報９０２は、符号長を２倍として符号０または符号１が４個〜１８個連続したデータからなり、４Ｔ〜１８Ｔとなる。ここで最小符号数は４とする。
【００６２】
このようにユーザデータは最小符号数を２とし、管理情報は最小符号数を４とすることにより、最密パターンの記録品質の悪化を抑制し、管理情報の記録再生の信頼性の向上が可能となる。
【００６３】
ここで管理情報の符号長をユーザデータの符号長の２倍としたが、符号長に１を加算したもの等、それ以外の長さでも良い。
【００６４】
以上により、１０MBの管理情報に対して４０MBの記録領域が必要となるが管理情報におけるＳ／Ｎが向上して記録再生品質の確保が可能となる。したがってユーザデータの記録量５０GBを維持して光ディスクの記録再生における信頼性の向上が可能となる。
【図面の簡単な説明】
【００６５】
【図１】第１の実施例における光情報記録再生装置の全体構成図。
【図２】第１の実施例におけるピックアップの構成図。
【図３】第１の実施例における第１の符号復号手段のフローを示す概略図。
【図４】第１の実施例における２次元配列情報の概略図。
【図５】第１の実施例における８／１６ビット変換の概略図。
【図６】第１の実施例における８／６４ビット変換の概略図。
【図７】第１の実施例におけるサブページの一部概略図。
【図８】第１の実施例における判別情報パターンの概略図。
【図９】第２の実施例における１次元配列情報の概略図。
【符号の説明】
【００６６】
１００・・・光情報記録再生装置                    １０１・・・光ディスク
１０２・・・位相共役光学系 １０３・・・モータ
１０４・・・ピックアップ   １０５・・・信号処理手段
１０６・・・第１の符号復号手段                    １０７・・・第２の符号復号手段
１０８・・・コントローラ   １０９・・・インターフェース
２０１・・・光源           ２０２・・・ＰＢＳプリズム
２０３・・・ＰＢＳプリズム               ２０４・・・空間光変調器
２０５・・・光検出器      ２０６・・・信号光
２０７・・・レンズ         ２０８・・・ミラー
２０９・・・参照光         ２１０・・・レンズ
２１１・・・ミラー
３０１・・・データ         ３０２・・・並び替えデータ
３０３・・・誤り訂正符号付加データ                ３０４・・・８／１６ビット変換
３０５・・・データページ画像
４０１・・・データページ   ４０２・・・ページ同期マーク
４０３・・・サブページ     ４０４・・・サブページ同期マーク
４０５・・・シンボル      ４０６・・・オンピクセル
４０７・・・オフピクセル
５０１・・・８ビットデータ               ５０２・・・１６ビットデータ
５０３・・・シンボルデータ
６０１・・・６４ビットデータ                          ６０２・・・シンボルデータ
７０１・・・８／１６ビット変換におけるサブページの一部
７０２・・・８／６４ビット変換におけるサブページの一部
８０１・・・第１の判別情報パターン                ８０２・・・第２の判別情報パターン
９０１・・・第１の符号情報               ９０２・・・第２の符号情報。
【図１】
2010152940.tif 000003
【図２】
2010152940.tif 000004
【図３】
2010152940.tif 000005
【図４】
2010152940.tif 000006
【図５】
2010152940.tif 000007
【図６】
2010152940.tif 000008
【図７】
2010152940.tif 000009
【図８】
2010152940.tif 000010
【図９】
2010152940.tif 000011